(57)【特許請求の範囲】
【請求項１】
ベース部材と、
遊技を行う際に操作可能な操作部材と、該操作部材の操作を検出する検出センサと、振動発生源とを設けた振動部材と、
該振動部材と上記ベース部材との間に設け、上記振動発生源による振動が上記ベース部材へ伝達することを抑制する振動伝達抑制部材とを有しており、
上記ベース部材には、上記振動伝達抑制部材に設けた中空穴に嵌入する支柱部が立設してあり、該支柱部の先端部には、該支柱部に嵌入した上記振動伝達抑制部材の端面に当接するストッパー部材が設けてあり、
該ストッパー部材は、上記支柱部に対面する板面部と、該板面部から上記ベース部材の方向に突出形成したストッパー部とを有しており、
上記ストッパー部材の上記板面部と上記振動部材とによって、上記振動伝達抑制部材における上記立設方向の先端側の部分が挟持されており、上記ストッパー部材の上記ストッパー部と上記振動部材との間には、上記振動伝達抑制部材における上記先端側の部分を圧縮可能なストロークを構成する隙間が形成されていることを特徴とする遊技機の操作部の構造。
【発明の詳細な説明】
【技術分野】
【０００１】
本発明は、遊技機の操作部の構造に関する。
【背景技術】
【０００２】
パチンコ遊技機等の遊技機においては、遊技の趣向性を高めるための種々の演出の工夫がなされている。
例えば、特許文献１の遊技機においては、前扉の所定位置に配設した遊技参加ボタンを、遊技を行う際の所定の契機で振動発生装置によって振動させることが開示されている。これにより、通常の遊技と並行して、遊技者に遊技参加ボタンの操作タイミングを容易に知らしめることができる。
【０００３】
しかしながら、特許文献１においては、遊技参加ボタンと振動発生装置とを基板に直接設けており、振動発生装置から基板を介して遊技機の全体に振動が伝わることを抑制する工夫はなされていない。特に、遊技球の発射装置等の機能部品の周辺に振動が伝わったときには、遊技状態に悪影響を与えるおそれがある。
【０００４】
また、例えば、特許文献２の遊技機においては、遊技者が操作する操作ノブにおいて、カバー部材に対して、緩衝部材を介してスピーカを設けた振動部材を配設した構造が開示されている。これにより、発射された遊技球の遊技盤内での移動結果に応じて、スピーカを振動させたときには、この振動を遊技者に伝達して、遊技の演出効果を高めることができる。
しかしながら、特許文献２において、振動部材に対して、遊技を行う際に操作可能な操作部材を設ける際の工夫はなされていない。特に、振動部材を振動させる際に、操作部材の操作を検出する検出センサに悪影響が生じることを抑制するためには更なる工夫が必要とされる。
【０００５】
【特許文献１】特開２００７−３７９７２号公報
【特許文献２】特開２００１−２５９１３４号公報
【発明の開示】
【発明が解決しようとする課題】
【０００６】
本発明は、かかる従来の問題点に鑑みてなされたもので、振動発生源による振動を操作部材に直接伝達することができると共に、検出センサによる操作部材の操作の検出を安定させることができ、かつ振動発生源による振動が遊技機に配設されたベース部材を経由して遊技機の機能部品等に伝達してしまうことを抑制することができる操作部の構造を提供しようとするものである。
【課題を解決するための手段】
【０００７】
本発明は、ベース部材と、
遊技を行う際に操作可能な操作部材と、該操作部材の操作を検出する検出センサと、振動発生源とを設けた振動部材と、
該振動部材と上記ベース部材との間に設け、上記振動発生源による振動が上記ベース部材へ伝達することを抑制する振動伝達抑制部材とを有しており、
上記ベース部材には、上記振動伝達抑制部材に設けた中空穴に嵌入する支柱部が立設してあり、該支柱部の先端部には、該支柱部に嵌入した上記振動伝達抑制部材の端面に当接するストッパー部材が設けてあり、
該ストッパー部材は、上記支柱部に対面する板面部と、該板面部から上記ベース部材の方向に突出形成したストッパー部とを有しており、
上記ストッパー部材の上記板面部と上記振動部材とによって、上記振動伝達抑制部材における上記立設方向の先端側の部分が挟持されており、上記ストッパー部材の上記ストッパー部と上記振動部材との間には、上記振動伝達抑制部材における上記先端側の部分を圧縮可能なストロークを構成する隙間が形成されていることを特徴とする遊技機の操作部の構造にある（請求項１）。
【０００８】
本発明の遊技機の操作部の構造においては、上記操作部材、検出センサ及び振動発生源を振動部材に設けており、振動部材とベース部材との間には、上記振動伝達抑制部材を設けている。そして、振動発生源を振動させたときには、振動部材が振動することにより、操作部材とこの操作部材が操作されたことを検出する検出センサとを同時に振動させることができる。これにより、両者が同位相で振動することになり、両者間の検出動作における相対的な位置関係に変化が発生しないので、振動部材を振動させながらも、遊技者による操作部材の操作を検出センサによって安定して検出することができる。
【０００９】
また、振動発生源により、操作部材を直接振動させることができ、操作部材は振動するが、その周辺に存在するベース部材は、振動伝達抑制部材により振動することが抑制される。そのため、操作部材が振動していることを、遊技者へよりわかり易く伝達することができる。
また、振動部材に発生させた振動は、振動伝達抑制部材によってベース部材に伝達することを抑制することができ、ベース部材から遊技機の全体に広がってしまうことを抑制することができる。
それ故、本発明の操作部の構造によれば、振動発生源による振動を操作部材に直接伝達することができると共に、検出センサによる操作部材の操作の検出を安定させることができ、かつ振動発生源による振動が遊技機に配設されたベース部材を経由して遊技機の機能部品等に伝達してしまうことを抑制することができる。
【発明を実施するための最良の形態】
【００１０】
上述した本発明における好ましい実施の形態につき説明する。
本発明において、上記ベース部材には、上記振動伝達抑制部材に設けた中空穴に嵌入する支柱部を立設し、該支柱部の先端部には、該支柱部に嵌入した上記振動伝達抑制部材の端面に当接するストッパー部材を設け、該ストッパー部材は、上記支柱部に対面する板面部と、該板面部から上記ベース部材の方向に突出形成したストッパー部とを有しており、上記ストッパー部材の上記板面部と上記振動部材とによって、上記振動伝達抑制部材における上記立設方向の先端側の部分を挟持し、上記ストッパー部材の上記ストッパー部と上記振動部材との間には、上記振動伝達抑制部材における上記先端側の部分を圧縮可能なストロークを構成する隙間が形成されている。
【００１１】
上記隙間の存在により、振動部材の振動がストッパー部材に（ひいてはベース部材に）伝達されることを適切に防止することができる。また、操作部材が過度に操作されたことにより、操作部材が設けられた振動部材の全体が必要以上に移動するような状態になったときにも、ストッパー部と振動部材とが当接することにより適切な位置で振動部材の移動が停止される。よって、振動部材が必要以上に移動することが防止され、その周辺の部材等に、衝突等によって悪影響が及ぶことを防止することができる。
【００１２】
また、遊技者が仮に必要以上に過負荷で操作部材を操作したとしても、この過負荷をストッパー部によって受け止めることができる。そのため、振動伝達抑制部材自体の破損を適切に防止することができる。また、ストッパー部材を用いたことにより、振動部材とベース部材と振動伝達抑制部材との嵌合状態が不適切に外れてしまうことを防止することができる。そして、簡単な構造で、操作部の組付を行うことができる。
したがって、ストッパー部材に、振動伝達抑制部材を固定する機能と、上記各不具合の防止を行う機能とを有効に併せ持たせることができる。
【実施例】
【００１３】
以下に、本発明の遊技機の操作部の構造にかかる実施例につき、図面を参照して説明する。
本例の遊技機１０の操作部１の構造は、図１、図２、図５に示すごとく、遊技機１０に固定するベース部材２と、ベース部材２に対して相対的に振動させる振動部材３と、振動部材３とベース部材２との間に設け、振動発生源４によって振動する振動部材３の振動がベース部材２へ伝達することを抑制する振動伝達抑制部材７とを有している。また、振動部材３には、遊技を行う際に操作可能な操作スイッチ（操作部材）５と、操作スイッチ５の操作を検出する検出センサ６とが設けてある。なお、図１は、操作部１における主要な部分を断面にして示す図である。また、図２においては、ベース部材２を、２点鎖線にして示す。
【００１４】
以下に、本例の遊技機１０の操作部１の構造につき、図１〜図５を参照して詳説する。
本例においては、遊技機１０において遊技者に対向する側（表面側）を前面側といい、反対側（裏面側）を後面側という。
図５に示すごとく、本例の遊技機１０は、パチンコ遊技機であり、本例の操作部１は、遊技機１０の前面において、球皿１００の周辺に配設する。また、本例の操作スイッチ５は、遊技機１０における遊技と関連して操作する演出ボタンである。また、操作部１は、図１、図２に示すごとく、遊技機１０の球皿１００に配設するベース部材２に、操作スイッチ５、検出センサ６、振動発生源４を有する振動部材３、振動伝達抑制部材７等を配設したユニット体として形成されている。本例のベース部材２は、カバー部材であり、球皿１００を構成する部材の表面に配設される。
【００１５】
図３に示すごとく、操作スイッチ５は、遊技者によって操作可能ないわゆる押しボタン式のスイッチであり、ベース部材２の露出表面２０１から突出させたボタン本体部５１と、ボタン本体部５１を露出表面２０１から突出する方向へ付勢する付勢バネ５２とを有している。ボタン本体部５１は、表面にメッキ処理等を施して発光体５５による光を前面側へと反射させるリフレクタ部５１１に、カップ形状を有するキャップ部５１２を被せて形成してある。
【００１６】
リフレクタ部５１１によって光を反射させることにより、発光体５５による光量を増加させることができる。また、キャップ部５１２を、光拡散性を有する部材で形成することにより、キャップ部５１２を適切に面発光させることができる。また、キャップ部５１２の表面には、「ＰＵＳＨ」等の表示を設けることができる。
ボタン本体部５１は、遊技者によって押し込まれていないときには、付勢バネ５２の付勢力を受けてベース部材２の露出表面２０１から突出しており、遊技者によって押し込まれたときには、付勢バネ５２の付勢力に抗してベース部材２の後面側へと引っ込むよう構成されている。また、ボタン本体部５１の裏面には、ボタン本体部５１の押込み操作を検出センサ６によって検出するための検出用突起５１３が形成してある。
【００１７】
また、図３に示すごとく、キャップ部５１２の側部の先端部には、係合部５１５が設けてあり、振動部材３の板面部３１の前面側に設けた環状の突出部３６には、係合部５１５と係合する係合孔３６１が設けてある。そして、係合孔３６１に沿って係合部５１５をスライドさせることによって、ボタン本体部５１を振動部材３に対してスライドさせることができる。
また、ボタン本体部５１を押し込んだときには、キャップ部５１２の先端面５１４が板面部３１の前面側に当接することにより、ボタン本体部５１のスライド範囲を規制することができる。そして、ボタン本体部５１に過負荷が加わったときには、この過負荷の荷重を板面部３１によって受け止めることができる。
【００１８】
同図に示すごとく、本例の検出センサ６は、発光部６１から発した光を受光部６２によって検出するよう構成したフォトインタラプタ６である。このフォトインタラプタ６は、互いに対向する発光部６１と受光部６２との間に、検出用突起５１３の挿入及び取出をすることができるスペース６３を有している。そして、検出センサ６は、ボタン本体部５１が押し込まれていないときには、発光部６１から発した光を受光部６２によって受け取って、操作スイッチ５の操作がないことを検出する一方、ボタン本体部５１が押し込まれたときには、発光部６１から発した光が検出用突起５１３によって遮られることによって、操作スイッチ５が操作されたことを検出するよう構成されている。
ボタン本体部５１は、ベース部材２に形成した貫通配置穴２１内に配置してあり、この貫通配置穴２１に沿って押し込みスライド可能になっている。
【００１９】
図４に示すごとく、本例の振動伝達抑制部材７は、振動部材３に対して複数（本例では３つ）設けてある。振動伝達抑制部材７は、ゴム製の防振ブッシュからなる。また、この防振ブッシュは、ゴム硬度が５以下の低硬度材料から形成した。防振ブッシュは、例えば、アクリルゴムに対して、有機過酸化物、粘着付与樹脂、可塑剤等を配合してなる組成物から形成することができる。また、防振ブッシュは、例えば、スチレン系エラストマーに対して、軟化剤、粘着付与樹脂等を配合してなる粘弾性エラストマーから形成することもできる。
振動伝達抑制部材７は、中空穴７１を有する円柱形状を有しており、円柱形状の軸方向の中間部分の外周には、振動部材３の一部を嵌入させるための外周溝７２が形成してある。
【００２０】
図２、図４に示すごとく、振動部材３における板面部３１には、振動伝達抑制部材７の外周溝７２に嵌入させるための嵌入切欠部３２が複数（本例では３つ）形成してある。この嵌入切欠部３２は、板面部３１の外縁部から曲面状に切り欠いた形状として形成してある。嵌入切欠部３２の周りであって、板面部３１における前面側には、振動伝達抑制部材７の前側部分（外周溝７２よりも前面側に位置する部分）７０１を配置する前面側立設壁３３が形成してある。
図１に示すごとく、振動部材３における板面部３１の後面側には、振動発生源４を収容する収容部３５が形成してある。本例の振動発生源４は、ロータ軸にアンバランスウェイトを設けて構成した振動モータ（電気式振動機）である。
【００２１】
図１、図３に示すごとく、振動部材３における板面部３１の後面側には、検出センサ６等を設けた電装基板８が設けてある。この電装基板８は、収容部３５等を形成する後面側立設壁３４の端面に対向配置してある。また、収容部３５内の振動発生源（振動モータ）４の後面側には、発泡樹脂（発泡ウレタン）等からなるクッション材４１が配置してあり、振動発生源４は、クッション材４１を介して電装基板８に当接している。これにより、クッション材４１の弾性力により、振動発生源４を収容部３５の内壁に適切に密着させることができる。そして、振動発生源４の振動を、振動部材３に対して適切に伝達させることができ、振動部材３を適切に振動させることができる。また、クッション材４１の弾性力により、振動発生源４の振動を増幅させることができる。さらに、振動発生源４による振動から電装基板８を保護することができる。
【００２２】
図１、図２に示すごとく、本例の操作部１は、操作スイッチ（演出ボタン）５の周辺（本例では横）に配置する他の操作スイッチ（本例では、セレクトボタン）５Ａも含めてユニット化してある。他の操作スイッチ５Ａは、振動部材３とは別体の他の部材３Ａに設けてある。また、操作スイッチ５のボタン本体部５１におけるキャップ部５１２は、樹脂等の透明体からなり、その後面側に配置した発光体５５によって光るよう構成してある。本例の発光体５５は、他の部材３Ａに配設し、他の操作スイッチ５Ａの入力回路等を形成した他の電装基板８Ａに設けてある。
【００２３】
この他の電装基板８Ａは、振動部材３の側方から板面部３１の後面側に向けて延長形成してあり、操作スイッチ５の後方位置に発光体５５を配置してなる。本例の発光体５５は、ＳＭＤ（表面実装）型フルカラーのＬＥＤである。
他の電装基板８Ａは、検出センサ６及び操作スイッチ５の入力回路等を形成した電装基板８よりも前面側に位置している。そのため、発光体５５の配置位置を操作スイッチ５のボタン本体部５１に容易に接近させることができ、発光体５５を、遊技者に対して一層明るく光らせることができる。
また、振動伝達抑制部材７を設けたことにより、操作部１内において振動させることを必要としていないスイッチである他の操作スイッチ５Ａに対して、振動発生源４による振動が伝達することを抑制することができる。
【００２４】
図４に示すごとく、ベース部材２の後面側には、振動伝達抑制部材７に設けた中空穴７１に嵌入する支柱部２２が複数立設してある。各支柱部２２の先端部（後端部）には、支柱部２２に嵌入した振動伝達抑制部材７の後方側端面に当接するストッパー部材２５が設けてある。ストッパー部材２５は、カップ形状を有しており、支柱部２２に対面する円盤形状の板面部２５１と、板面部２５１の外縁部の全周からベース部材２の方向に環状に突出形成したストッパー部２５２とを有している。ストッパー部材２５は、ビス２６によって支柱部２２に固定されている。
【００２５】
同図に示すごとく、ベース部材２及びストッパー部材２５に対して、振動伝達抑制部材７を介して振動部材３を取り付けたときには、ストッパー部材２５の板面部２５１と振動部材３の嵌入切欠部３２とによって、振動伝達抑制部材７における前後方向の後側部分（外周溝７２よりも後端側に位置する部分）７０２が挟持される。なお、振動伝達抑制部材７における前後方向の後側部分は、支柱部２２の立設方向の先端側の部分に相当する。
【００２６】
また、ストッパー部材２５のストッパー部２５２の前方側端面と振動部材３の後面（より詳しくは板面部３１の後面）との間には、振動伝達抑制部材７における後側部分７０２を圧縮可能なストロークを構成する隙間２９が形成されている。
この隙間２９の存在により、振動部材３の振動がストッパー部材２５に（ひいてはベース部材２に）伝達されることを適切に防止することができる。また、操作スイッチ５が過度に操作されたことにより、操作スイッチ５が設けられた振動部材３の全体が必要以上に移動するような状態になったときにも、ストッパー部２５２と振動部材３とが当接することにより適切な位置で振動部材３の移動が停止される。よって、振動部材３が必要以上に移動することが防止され、その周辺の部材等に、衝突等によって悪影響が及ぶことを防止することができる。
【００２７】
また、遊技者が仮に必要以上に過負荷で操作スイッチ５を操作したとしても、この過負荷をストッパー部２５２によって受け止めることができる。そのため、振動伝達抑制部材７自体の破損を適切に防止することができる。また、ストッパー部材２５を用いたことにより、振動部材３とベース部材２と振動伝達抑制部材７との嵌合状態が不適切に外れてしまうことを防止することができる。そして、簡単な構造で、操作部１の組付を行うことができる。したがって、ストッパー部材２５に、振動伝達抑制部材７を固定する機能と、上記各不具合の防止を行う機能とを有効に併せ持たせることができる。
【００２８】
また、図示は省略するが、ベース部材２と振動部材３との間であって、操作スイッチ５の周辺には、遊技者が操作スイッチ５に接触したときに、遊技者が持つ静電気が電装基板８等における電子部品等に悪影響を与えることを防止するためのシールド部材が設けてある。このシールド部材は、絶縁被膜処理を適宜施したアルミニウム等の金属製の薄板から形成することができ、アース線によって電装基板８とアース接続されている。そして、シールド部材によって、振動部材３の前面側における操作スイッチ５の周辺のほぼ全体を覆うことができる。
【００２９】
本例の遊技機１０の操作部１の構造においては、上記操作スイッチ５、検出センサ６及び振動発生源４を振動部材３に設けており、振動部材３とベース部材２との間には、上記振動伝達抑制部材７を設けている。そして、振動発生源４を振動させたときには、振動部材３が振動することにより、操作スイッチ５とこの操作スイッチ５が操作されたことを検出する検出センサ６とを同時に振動させることができる。これにより、両者が同位相で振動することになり、両者間の検出動作における相対的な位置関係に変化が発生しないので、振動部材３を振動させながらも、遊技者による操作スイッチ５の操作を検出センサ６によって安定して検出することができる。
【００３０】
また、振動発生源４により、操作スイッチ５を直接振動させることができ、操作スイッチ５は振動するが、その周辺に存在するベース部材２は、振動伝達抑制部材７により振動することが抑制される。そのため、操作スイッチ５が振動していることを、遊技者へよりわかり易く伝達することができる。
また、振動部材３に発生させた振動は、振動伝達抑制部材７によってベース部材２に伝達することを抑制することができ、ベース部材２から遊技機１０の全体に広がってしまうことを抑制することができる。
【００３１】
特に、本例においては、遊技者による操作性の向上を考慮して、操作部１を球皿１００（より詳しくは、打球供給皿における球貯留部を除いた表面部）に配設しており、球皿１００の周辺には、遊技球を遊技盤の遊技領域に発射させる球発射装置、球発射装置に遊技球を送り出す球送出装置、遊技者が遊技球の発射強度を調整するために操作する操作ハンドル等の機能部品が配設してある。そして、振動発生源４による振動が、上記機能部品に伝わり易い位置関係が形成されている。
これに対し、本例の操作部１においては、球皿１００の表面に配設したベース部材２と、振動発生源４を配設した振動部材３とが、振動伝達抑制部材７によって直接接触していないことにより、振動発生源４による振動が、上記機能部品の動作に悪影響を与えてしまうことを防止することができる。
【００３２】
それ故、本例の操作部１の構造によれば、振動発生源４による振動を操作スイッチ５に直接伝達することができると共に、検出センサ６による操作スイッチ５の操作の検出を安定させることができ、かつ振動発生源４による振動が遊技機１０に配設されたベース部材２を経由して遊技機１０の機能部品等に伝達してしまうことを抑制することができる。
【００３３】
なお、本例の操作部１の構造は、パチンコ遊技機以外にも、アレンジボール遊技機や、遊技球、メダル等を遊技媒体として用いるスロットマシン等の遊技機に採用することもできる。
また、本例の操作部１の構造の配設箇所は、球皿部以外にも、ガラス枠、本体枠等、遊技機のその他の部位とすることもできる。
また、操作スイッチ５は、本例のような押しボタン方式以外にも、トグル方式のスイッチ等、その他の操作スイッチとすることもできる。
【図面の簡単な説明】
【００３４】
【図１】実施例における、操作部の構造を示す断面説明図。
【図２】実施例における、操作部の構造を示す正面図。
【図３】実施例における、操作スイッチの取付部位の周辺を示す図で、図２におけるＡ−Ａ線矢視断面説明図。
【図４】実施例における、振動伝達抑制部材の取付部位の周辺を示す図で、図２におけるＢ−Ｂ線矢視断面説明図。
【図５】実施例における、操作部の構造を採用した遊技機を示す正面説明図。
【符号の説明】
【００３５】
１  操作部
１０  遊技機
１００  球皿
２  ベース部材
２２  支柱部
２５  ストッパー部材
２５１  板面部
２５２  ストッパー部
２９  隙間
３  振動部材
３１  板面部
３２  嵌入切欠部
３５  収容部
４  振動発生源
４１  クッション材
５  操作スイッチ（操作部材）
５１  ボタン本体部
５２  付勢バネ
５５  発光体
６  検出センサ
７  振動伝達抑制部材
７１  中空穴
７２  外周溝
８  電装基板
８Ａ  他の電装基板
【図１】
0004822364.tif 000002
【図２】
0004822364.tif 000003
【図３】
0004822364.tif 000004
【図４】
0004822364.tif 000005
【図５】
0004822364.tif 000006